(57)【要約】【課題】情報要求元と一体になって知的価値を創出させるための支援方法を提供する。【解決手段】第１種ライセンシよりシステム利用のサブライセンスを受けた第２種ライセンシに備えられる第２知財管理システムＳＬｓ１〜ＳＬｓ３が、知財創出の需要を有するユーザシステムＵＳ１〜ＵＳ３の求めに応じて、第１種ライセンシに備えられる第１知財管理システムＭＬｓに知財情報の検索を依頼する。第１知財管理システムＭＬｓは、ユーザシステムＵＳ４の求めに応じた知財情報の検索結果を自己用に個性化されたブラウザ画面に掲載してユーザシステムＵＳ４に閲覧させるとともに、第２知財管理システムから依頼された知財情報の検索結果については、第２知財管理システム用に個性化されたブラウザ画面に掲載して配信する。第２知財管理システムＳＬｓ１〜ＳＬｓ３は、このブラウザ画面をユーザシステムＵＳ１〜ＵＳ４に閲覧させる。【選択図】図２
2006155626.tif 000002
【特許請求の範囲】
【請求項１】
第１種ライセンシに備えられ、データベースを有する第１知財管理システムと、前記第１種ライセンシよりシステム利用のサブライセンスを受けた第２種ライセンシに備えられる第２知財管理システムとがコンピュータ・ネットワークを通じて連携する連携型知財管理システムにより実行される方法であって、
前記第１知財管理システムが、前記第２種ライセンシの識別名称及び前記第１種ライセンシに認められたシステム利用の第１ライセンス条件の一部又は全部を継承した第２ライセンス条件を含む第２固有情報を関連付けて前記データベースに記録する段階と；
前記第２知財管理システムが前記第２種ライセンシにおいて生じた知財創出支援の第２需要を受け付けるとともに前記第１知財管理システムに前記第２需要による知財情報の検索を要求する段階と；
前記第１知財管理システムが、前記第２知財管理システムからの前記要求の受付を契機に、前記データベースに記録されている第２ライセンス条件に従う第２検索式を取得し、この第２検索式により創出対象となる知財情報の第２検索を行うとともに、前記第２識別情報をもとに前記データベースより読み出した当該第２種ライセンシの識別名称を情報発信元として表示させるための第２種ライセンシ用の第２ブラウザ画面を生成し、前記第２検索の結果を、前記第２ブラウザ画面にレイアウトしてその第２ブラウザ画面を前記第２知財管理システムに配信する段階と；
前記第２ブラウザ画面が配信された前記第２知財管理システムが、当該第２ブラウザ画面を前記第２需要の発信元が操作する操作端末のディスプレイに表示させる段階と；
を有する、連携型知財管理システムによる知財創出支援方法。
【請求項２】
電子情報の検索を行う検索エンジンと；
システム利用のサブライセンスの締結権限を有する第１種ライセンシとの間で前記サブライセンスを締結した第２種ライセンシの識別名称と前記第１種ライセンシに認められたシステム利用の第１ライセンス条件の一部又は全部を継承した第２ライセンス条件とを含む第２固有情報を記録するための第２種ライセンシＤＢと；
前記第２種ライセンシＤＢに記録されている前記識別名称を読み出し、読み出した識別名称を情報発信元として表示させるための第２ブラウザ画面を生成するブラウザ画面生成手段と；
前記第２種ライセンシにおいて生じた知財創出支援の第２需要の受付を契機に、前記第２種ライセンスＤＢに記録されている前記第２ライセンス条件に従う第２検索式を取得し、この第２検索式により前記検索エンジンに第２検索を行わせるとともに、受け取った第２検索の結果を前記第２ブラウザ画面に掲載してこの第２ブラウザ画面を前記第２需要の発信元が操作する操作端末のディスプレイに表示可能にする制御手段と；を有する、
サブライセンス管理機能付きの情報提供システム。
【請求項３】
コンピュータをサブライセンス管理機能付きの情報提供システムとして動作させるためのコンピュータプログラムであって；
前記コンピュータを；
電子情報の検索を行う検索エンジン；
システム利用のサブライセンスの締結権限を有する第１種ライセンシとの間で前記サブライセンスを締結した第２種ライセンシの識別名称と前記第１種ライセンシに認められたシステム利用の第１ライセンス条件の一部又は全部を継承した第２ライセンス条件とを含む第２固有情報を第２種ライセンシＤＢに記録する第２手段；
前記第２種ライセンシＤＢに記録されている前記識別名称を読み出し、読み出した識別名称を情報発信元として表示させるための第２ブラウザ画面を生成するブラウザ画面生成手段；
前記第２種ライセンシにおいて生じた知財創出支援の第２需要の受付を契機に、前記第２種ライセンスＤＢに記録されている前記第２ライセンス条件に従う第２検索式を取得し、この第２検索式により前記検索エンジンに第２検索を行わせるとともに、受け取った第２検索の結果を前記第２ブラウザ画面に掲載してこの第２ブラウザ画面を前記第２需要の発信元が操作する操作端末のディスプレイに表示可能にする制御手段；として機能させるためのコンピュータプログラム。
【発明の詳細な説明】
【技術分野】
【０００１】
この発明はネットワーク技術とコンピュータ技術とを利用して、ソフトウエア、あるいはそのソフトウエアを組み込んだコンピュータシステム（以下、単に「システム」といい、それを利用することを「システム利用」という）に対するライセンス、特にサブライセンスの管理機能を備えた情報提供システムおよび連携知財管理システムによる知財創出支援方法に関する。なお、本明細書において、「知財」は、特に区別する場合を除き、知的財産および知的財産権を総称する用語として使用している。
【背景技術】
【０００２】
ソフトウエアを開発した者が、システム利用を第三者にライセンスすることが一般的に行われている。この場合、ソフトウエアの開発ないしそれを組み込んだコンピュータシステムを提供する者は「ライセンサ」と呼ばれ、ライセンサとの間でシステム利用のライセンスを締結した者は「ライセンシ」と呼ばれる。ソフトウエア業界におけるライセンス契約は、通常、ライセンシが自らシステムを利用することのみを契約内容として含み、ライセンシが第三者にサブライセンスを付与することは行われていない。その第三者がシステム利用を希望する場合は、ライセンサと直接交渉すればよいためである。
【０００３】
しかしながら、ライセンシとの間に、人的、経済的、地域的その他のつながりがあり、且つ、そのライセンシと同様のライセンス需要がある特定のライセンシ候補者が存在する場合、ライセンシ候補者が、直接ライセンサとライセンス交渉を行うよりも、ライセンシを介在させることができれば、ライセンシ候補者のみならず、ライセンサにとっても手続の煩雑さを回避することができて合理的である。また、ライセンス需要の拡大も期待される。さらに、同じシステムを利用する複数のライセンシが連携することにより、一人のライセンシだけでは困難な大規模な情報関連サービスを容易にすることもできる。
【０００４】
特に、システムが、特殊な用語を含む特許情報などの知財情報の検索・配信に関わる処理を行う知財管理システムである場合、検索式に精通しているライセンシを含む複数のライセンシが連携することにより、普段、知財情報に接することがなく、あるいは知財情報への接し方がわからず、それ故に有用な知財情報を入手できなかった非常に多くの中小企業等に対して、適正且つ効率的に知財情報を提供し、その活用の機会を与えることができる。
【発明の開示】
【発明が解決しようとする課題】
【０００５】
最近は、地方の大学にも知財本部が設置されるようになってきている。大学は、高い知的ポテンシャルを発揮することが期待される組織であり、事業ないし知財創出の大きなシーズもある。但し、現状では、すべての大学の知財本部において、資金、資材、人材が均等に確保されているわけではない。そこで、これらの地方大学がそれぞれ上記知財管理システムのライセンシとなって連携し、互いに協力して、知財情報を地元の中小企業等に適正に提供するとともに、各大学と中小企業等との接点を多くすることにより、ニーズとシーズとが融合し、当該地方の知的産業を振興させることができる。
【０００６】
本発明は、上述した背景のもと、例えば、複数の知財管理システムをサブライセンス契約のもとで連携させ、これにより、情報要求元と一体になって新たな知的価値を創出させるための知財創出支援方法を提供することを目的とする。
本発明の他の目的は、この知財創出支援方法の実施を容易にするために、知財管理システムを含むコンピュータシステムの利用についてのサブライセンス契約の内容を、ライセンサの手を煩わせることなく管理することができ、且つ、サブライセンスが付与されたライセンシにとって使い勝手がよい情報提供システムを提供することにある。
本発明の他の目的は、このような情報提供システムを汎用のコンピュータシステムにおいて実現するためのコンピュータプログラムを提供することにある。
【課題を解決するための手段】
【０００７】
本発明が提供する知財創出支援方法は、第１種ライセンシに備えられ、データベースを有する第１知財管理システムと、第１種ライセンシよりシステム利用のサブライセンスを受けた第２種ライセンシに備えられる第２知財管理システムとがコンピュータ・ネットワークを通じて連携する連携型知財管理システムにより実行される方法であって、前記第１知財管理システムが、第１種ライセンシの識別名称及びその第１種ライセンシに認められたシステム利用の第１ライセンス条件を含む第１固有情報、前記第２種ライセンシの識別名称及び前記第１ライセンス条件の一部又は全部を継承した第２ライセンス条件を含む第２固有情報を、それぞれ関連付けて前記データベースに記録する段階と；前記第１知財管理システムが前記第１種ライセンシにおいて生じた知財創出支援の第１需要を受け付け、あるいは、前記第２知財管理システムが前記第２種ライセンシにおいて生じた知財創出支援の第２需要を受け付けるとともに前記第１知財管理システムに前記第２需要による知財情報の検索を要求する段階と；前記第１知財管理システムが、前記第１需要の受付を契機に、前記データベースに記録されている第１ライセンス条件に従う第１検索式を取得し、この第１検索式により創出対象となる知財情報の第１検索を行うとともに、前記第１識別情報をもとに前記データベースより読み出した当該第１種ライセンシの識別名称を情報発信元として表示させるための第１種ライセンシ用の第１ブラウザ画面を生成し、前記第１検索の結果を前記第１ブラウザ画面にレイアウトしてその第１ブラウザ画面を前記第１需要の発信元が操作する操作端末のディスプレイに表示可能にし、あるいは、前記第２知財管理システムからの前記要求の受付を契機に、前記データベースに記録されている第２ライセンス条件に従う第２検索式を取得し、この第２検索式により創出対象となる知財情報の第２検索を行うとともに、前記第２識別情報をもとに前記データベースより読み出した当該第２種ライセンシの識別名称を情報発信元として表示させるための第２種ライセンシ用の第２ブラウザ画面を生成し、前記第２検索の結果を、前記第２ブラウザ画面にレイアウトしてその第２ブラウザ画面を前記第２知財管理システムに配信する段階と；前記第２ブラウザ画面が配信された前記第２知財管理システムが、当該第２ブラウザ画面を前記第２需要の発信元が操作する操作端末のディスプレイに表示させる段階と；を有する、連携型知財管理システムにより実行される知財創出支援方法である。
「第１種ライセンシ」はシステムを開発したライセンサよりシステム利用のライセンスを付与された者、例えば企業、大学等であり、「サブライセンス」は、ライセンシが付与するライセンスをいう。「知財管理システム」は知的財産の創出支援に関わる情報処理を行う通信機能付きの情報処理システムである。「知財情報」は、例えば発明、考案、意匠、商標に関して、国内外の公的機関から電子化されて公表された公報、ネットワーク上を流通する電子化された技術情報、ノウハウ等である。
【０００８】
本発明の情報提供システムは、例えば上述した第１知財管理システムとして機能させることができるサブライセンス管理機能付きの情報提供システムであり、以下のような構成要素を有する。
（１）電子情報の検索を行う検索エンジン；
（２）システム利用のサブライセンスの締結権限を有する第１種ライセンシの識別名称とライセンサより許諾されたシステム利用の第１ライセンス条件とを含む第１固有情報を記録するための第１種ライセンシＤＢ；
（３）第１種ライセンシとの間で前記サブライセンスを締結した第２種ライセンシの識別名称と前記第１ライセンス条件の一部又は全部を継承した第２ライセンス条件とを含む第２固有情報を記録するための第２種ライセンシＤＢ；
（４）第１種ライセンシＤＢに記録されている前記第１固有情報のうち前記識別名称を読み出し、読み出した識別名称を情報発信元として表示させるための第１種ライセンシ用の第１ブラウザ画面を生成し、又は、第２種ライセンシＤＢに記録されている前記識別名称を読み出し、読み出した識別名称を情報発信元として表示させるための第２ブラウザ画面を生成するブラウザ画面生成手段；
（５）前記第１種ライセンシにおいて生じた知財創出支援の第１需要の受付を契機に、前記第１種ライセンシＤＢに記録されている前記前記第１ライセンス条件に従う第１検索式を取得し、この第１検索式により前記検索エンジンに第１検索を行わせるとともに、受け取った第１検索の結果を前記第１ブラウザ画面に掲載してこの第１ブラウザ画面を前記第１需要の発信元が操作する操作端末のディスプレイに表示可能にし、他方、前記第２種ライセンシにおいて生じた知財創出支援の第２需要の受付を契機に、前記第２種ライセンスＤＢに記録されている前記第２ライセンス条件に従う第２検索式を取得し、この第２検索式により前記検索エンジンに第２検索を行わせるとともに、受け取った第２検索の結果を前記第２ブラウザ画面に掲載してこの第２ブラウザ画面を前記第２需要の発信元が操作する操作端末のディスプレイに表示可能にする制御手段。
【０００９】
このように構成される情報提供システムでは、第１種ライセンシＤＢおよび第２種ライセンシＤＢにより、第１種ライセンシと第２種ライセンシとの関係を随時把握することができるので、第１種ライセンシにシステム利用の権限を与えたライセンサがライセンス契約に関与しなくとも、第２種ライセンシとの間で間接的にライセンス契約を締結した場合と同様の効果を得ることができる。また、第１種ライセンシＤＢに記録された第１ライセンス条件に基づく検索結果が第１種ライセンシ用の第１ブラウザ画面に掲載され、また、第２種ライセンシＤＢに記録された第２ライセンス条件に基づく検索結果が第２種ライセンシ用の第２ブラウザ画面に掲載されるので、各ライセンシにとって使い勝手のよい情報提供システムを実現することができる。特に、第２種ライセンシは、特別なコンピュータシステムを新規に導入しなくとも、あたかも自己発信の情報提供システムを構築したかの如き環境を構築することができる。
【００１０】
本発明のコンピュータプログラムは、コンピュータをサブライセンス管理機能付きの情報提供システムとして動作させるためのコンピュータプログラムであって；前記コンピュータを；電子情報の検索を行う検索エンジン；システム利用のサブライセンスの締結権限を有する第１種ライセンシの識別名称とライセンサより許諾されたシステム利用の第１ライセンス条件とを含む第１固有情報を第１種ライセンシＤＢに記録する第１手段；第１種ライセンシとの間で前記サブライセンスを締結した第２種ライセンシの識別名称と前記第１ライセンス条件の一部又は全部を継承した第２ライセンス条件とを含む第２固有情報を第２種ライセンシＤＢに記録する第２手段；第１種ライセンシＤＢに記録されている前記第１固有情報のうち前記識別名称を読み出し、読み出した識別名称を情報発信元として表示させるための第１種ライセンシ用の第１ブラウザ画面を生成し、又は、第２種ライセンシＤＢに記録されている前記識別名称を読み出し、読み出した識別名称を情報発信元として表示させるための第２ブラウザ画面を生成するブラウザ画面生成手段；前記第１種ライセンシにおいて生じた知財創出支援の第１需要の受付を契機に、前記第１種ライセンシＤＢに記録されている前記前記第１ライセンス条件に従う第１検索式を取得し、この第１検索式により前記検索エンジンに第１検索を行わせるとともに、受け取った第１検索の結果を前記第１ブラウザ画面に掲載してこの第１ブラウザ画面を前記第１需要の発信元が操作する操作端末のディスプレイに表示可能にし、他方、前記第２種ライセンシにおいて生じた知財創出支援の第２需要の受付を契機に、前記第２種ライセンスＤＢに記録されている前記第２ライセンス条件に従う第２検索式を取得し、この第２検索式により前記検索エンジンに第２検索を行わせるとともに、受け取った第２検索の結果を前記第２ブラウザ画面に掲載してこの第２ブラウザ画面を前記第２需要の発信元が操作する操作端末のディスプレイに表示可能にする制御手段；として機能させるためのコンピュータプログラムである。
【発明の効果】
【００１１】
本発明によれば、サブライセンス管理機能付きの情報提供システムが例えば第１知財管理システムとなり、サブライセンスが付与された第２種ライセンシの端末ないしコンピュータシステムが例えば第２知財管理システムとなって、これらの知財管理システムが連携して、知財創出の需要者に適正な知財情報を提供することにより、第２種ライセンシの側で、知財管理のためのコンピュータシステムを新規に導入しなくとも、新たな知的価値を創出させるための環境を構築することができるようになる。
また、このような環境を地域的、分野的に拡大することも容易になる。さらに、このようにして環境等が拡大していく際のサブライセンス契約の内容を、ライセンサの手を煩わせることなく管理することができるようになる。
【発明を実施するための最良の形態】
【００１２】
以下、本発明を適用した連携型知財管理システムの実施の形態を説明する。
［連携型知財管理システムの概念］
図１は、本発明の連携型知財管理システムの概念説明図である。この連携型知財管理システム１は、例えば、複数の大学の各々に設置された知財管理システムが連携して、学内の研究室（教官）のみならず、各大学が存在する地域に本拠地を有する学外の企業グループ、製造系企業、サービス系企業、起業家、個人事業者、家内事業者、学生に対して、多種・多様・膨大な知財情報を絞り込み、ブラウザあるいは電子メール等の電子媒体を通じて配信するものである。
【００１３】
連携型知財管理システムは、また、公的機関、公益団体、金融機関、教育機関、投資機関、研究機関、弁護士・弁理士等のスペシャリストからのアクセスも受け入れ、起業相談、広告・宣伝その他の機会提供の場をも電子的に形成する。このように、知財情報の配信と機会提供の場を形成することを通じて、学外の企業等が有する事業ニーズまたは知財創出のニーズと学内に存する種々のシーズとを融合させ、これにより、大学と、知財創出の需要者である企業等が地域毎に一体になって、新たな知的価値の創出を行うための環境を構築する。
【００１４】
「知財情報」は、主として国内の特許公開公報、特許公表公報、特許公報その他の公報、国外の特許等の公報等、特許情報を想定するが、このような特許情報のみならず、商標権、意匠権、著作権に関する情報、公開技報等の技術情報、日本国特許庁のＣＳＤＢ（コンピュータ・ソフトウエア・データベース）が提供している非特許文献情報等を含めることもできる。商標権の場合には、後述するシステムの構成要素のうち、「特許」の部分を「商標」と置き換える。意匠権、著作権等についても同様のルールで、用語を置き換えて運用すればよい。
【００１５】
［連携型知財管理システムの全体構成］
連携型知財管理システム１は、図２に示すように、第１種ライセンシに備えられる第１知財管理システムＭＬｓと、第２種ライセンシに備えられ、第１知財管理システムＭＬｓと連携して動作する複数の第２知財管理システムＳＬｓ１、ＳＬｓ２、ＳＬｓ３とをインターネットに接続して構成される。
第１種ライセンシは、第三者にシステム利用のサブライセンスを与える権限を有するライセンシであり、第２種ライセンシは、第１種ライセンシからサブライセンスを付与されたライセンシである。本例では、Ａ地域に存在するＡ大学が第１種ライセンシであり、知的財産本部（事務局）および複数の研究室（教官）がそれぞれシステム利用の権限を有する包括契約であるものとする。
また、本例では、第２種ライセンシのうち、Ｂ地域に存在するＢ大学、Ｃ地域に存在するＣ大学およびＤ地域に存在するＤ大学が、Ａ大学と連携して知財創出を支援する第２種ライセンシであり、それぞれ、Ａ大学と同様、知的財産本部（事務局）および複数の研究室（教官）がそれぞれシステム利用の権限を有する包括契約であるものとする。
なお、第１種ライセンシおよび第２種ライセンシは、必ずしも大学に限られず、企業、企業グループその他の機関であってもよい。
【００１６】
第１知財管理システムＭＬｓは、本発明のコンピュータ・プログラムがロードされたＷｅｂサーバ（World Wide Webサーバーの略。ブラウザで閲覧するコンテンツを提供するコンピュータ）により構成される情報提供システムである。コンピュータ・プログラムは、インターネット、あるいは、ＣＤ−ＲＯＭ、ＤＶＤ−ＲＯＭ等の可搬性の記録媒体を通じてＷｅｂサーバ内にロードされたものである。このコンピュータ・プログラムは、Ｗｅｂサーバのプロセッサにより読み取られて実行され、ライセンス管理および知財情報管理に関する種々の機能をＷｅｂサーバ内に構築する。
【００１７】
第１知財管理システムＭＬｓは、Ａ大学の学内で、知財本部に設けられた操作端末、複数の研究室の各々に設けられた操作端末との間でイントラネットを構成している。第１知財管理システムＭＬｓには、権限ＩＤ＿Ａが設定される。イントラネットに接続される各操作端末にも、それぞれ、イントラネット内で一意の権限ＩＤが設定される。
【００１８】
第２知財管理システムＳＬｓ１、ＳＬｓ２、ＳＬｓ３は、実質的には、通信機能およびブラウザ機能を有する汎用のコンピュータシステムであってよい。このコンピュータシステムにも、学内でイントラネットが構成されている。Ｂ大学に備えられる第２知財管理システムＳＬｓ１には権限ＩＤ＿Ｂ、Ｃ大学に備えられる第２知財管理システムＳＬｓ２には権限ＩＤ＿Ｃ、Ｄ大学に備えられる第２知財管理システムＳＬｓ３には権限ＩＤ＿Ｄが設定される。各大学のイントラネットに接続される各操作端末にも、それぞれ、イントラネット内で一意の権限ＩＤが設定される。
【００１９】
第２知財管理システムＳＬｓ１には、また、インターネットを介してＢ地域に存する複数のユーザシステムＵＳ１も接続される。ユーザシステムＵＳ１は、それぞれ、知財創出の需要がある者、例えば学外の企業グループ、製造系企業、サービス系企業、起業家、個人事業者、家内事業者、学生が保有する端末である。これらの端末は、通信機能およびブラウザ機能を有する汎用のパーソナルコンピュータであってよい。同様に、第２知財管理システムＳＬｓ２にはＣ地域に存する複数のユーザシステムＵＳ２、第２知財管理システムＳＬｓ３にはＤ地域に存する複数のユーザシステムＵＳ２、第１知財管理システムＭＬｓにはＡ地域に存する複数のユーザシステムＵＳ４が接続される。
【００２０】
ユーザシステムＵＳ１〜ＵＳ４からは、知財情報の提供依頼を含む各種ニーズ情報が知財管理システムＭＬｓ、ＳＬｓ１、ＳＬｓ２、ＳＬｓ３に電子メールまたはブラウザを通じて送信される。知財管理システムＭＬｓ、ＳＬｓ１、ＳＬｓ２、ＳＬｓ３は、ユーザシステムＵＳ１〜ＵＳ４に対して知財情報を配信する。「知財情報の配信」は、ユーザシステムＵＳ１〜ＵＳ４のブラウザに知財情報を閲覧させ、必要に応じて、それをダウンロードさせることをいう。
【００２１】
連携型知財管理システム１の特徴の一つは、サブライセンス契約に基づき、第１知財管理システムＭＬｓが、第２知財管理システムＳＬｓ１、ＳＬｓ２、ＳＬｓ３に代わって知財情報の検索を行い、検索結果を、あたかも第２知財管理システムＳＬｓ１、ＳＬｓ２、ＳＬｓ３が検索を行ったかのように見せて配信することである。具体的にはブラウザの画面を第２知財管理システムＳＬｓ１、ＳＬｓ２、ＳＬｓ３用に個性化して配信する。これにより、第２知財管理システムＳＬｓ１、ＳＬｓ２、ＳＬｓ３の構成を簡略化することができる。以後の説明では、個性化されたブラウザ画面を「マイページ」と呼ぶ。
【００２２】
一例を挙げれば、次のようになる。例えば図３に示すように、Ｂ地域のあるユーザシステムＵＳ１１が、電子メール等の電子媒体により、Ｂ大学の第２知財管理システムＳＬｓ１に情報提供依頼を行ったとする。情報提供依頼には、検索式を作成するためのキーワード等が含まれているものとする。第２知財管理システムＳＬｓ１は、第１知財管理システムＭＬｓに対して、ユーザシステムＵＳ１１からの依頼内容を含む情報検索要求を、同じく電子メール等の電子媒体を通じて行う。
【００２３】
第１知財管理システムＭＬｓは、情報検索要求の内容を解析することにより、情報要求元の需要を推定した検索式を作成し、該当する知財情報を検索する。そして、検索結果を編集してＢ大学用のマイページＢＺＢ１にレイアウトし、このマイページＢＺＢ１を第２知財管理システムＳＬｓ１に伝達する。第２知財管理システムＳＬｓ１は、必要に応じて、検索結果にＢ大学またはＢ地域に固有の知財関連情報をそのマイページＢＺＢ１に付加して掲載する。これにより、ユーザシステムＵＳ１１は、第１種知財管理システムＭＬｓの存在を意識することなく、第２知財管理システムＳＬｓ１から、自分が望む知財情報を取得することができる。
【００２４】
なお、図３上段に示すように、第２種ライセンシであっても、知財創出の支援のために連携する必要のない者、例えばＦ企業に備えられるユーザシステムＳＬｓ４からの情報検索依頼に対しては、検索結果をＡ大学用のマイページＢＺＡ１にレイアウトして配信することができる。連携する第２種ライセンシかそうでない第２ライセンシかは、例えば、ライセンシＩＤないし権限＿ＩＤにより識別する。
【００２５】
第１知財管理システムＭＬｓにイントラネットを経由して接続された学内の各研究室の端末に対しては、図４に示すように、それぞれ研究室用のマイページＢＺＡ２、ＢＺＡ３、ＢＺＡ４あるいは電子メールを通じて情報検索結果を受け付け、検索結果を各マイページＢＺＡ２、ＢＺＡ３、ＢＺＡ４に掲載する。これにより、各研究室において、知財情報の検索等を身近なものにすることができる。
【００２６】
第１知財管理システムＭＬｓは、第２知財管理システムＳＬｓ１、ＳＬｓ２、ＳＬｓ３との関係では上記のように動作するが、そのほか、地域一体による知財創出支援に関する種々の機能も有する。第１知財管理システムＭＬｓに入出力される情報ないし接続される機関の概要を図５に示す。
【００２７】
すなわち、第２種ライセンシの申込、すなわち権限ＩＤ申込に対しては、所定の条件チェックを行った上で、権限ＩＤを発行する。また、自己に接続された知財管理システムまたはユーザシステムから受け付けた地域情報、企業情報、アピール情報、情報提供ニーズ、さらに、検索により得られた知財情報（未加工の知財情報）等を、第２知財管理システムＳＬｓ１、ＳＬｓ２、ＳＬｓ３、ユーザシステムＵＳ１〜ＵＳ４がアクセス可能な共有ページ、一またはいくつかのシステムのみがアクセス可能な専用ページに定期または不定期に掲載する。あるいは、知財情報等を電子メールにより提供する。これにより、上述した「機会提供の場」を形成する。「アピール情報」は、例えば大学、企業等の自己提案情報である。
【００２８】
第１知財管理システムＭＬｓは、また、第２知財管理システムＳＬｓ１、ＳＬｓ２、ＳＬｓ３、ユーザシステムＵＳ１〜ＵＳ４、弁護士、弁理士等のスペシャリストが操作するスペシャリスト端末、その他の複数の端末との間で、インターネットテレビ技術を使用して、テレビ会議を行う。テレビ会議は、後述する対話検索のため、あるいは、知財創出のアドバイス等のために行う。
【００２９】
［第１知財管理システムの構成］
ここで、第１知財管理システムＭＬｓとして動作するＷｅｂサーバの具体的な構成例を、図６〜図２４を参照して説明する。このＷｅｂサーバは、連携型知財管理システム１の一構成要素となる一つの知財管理システムであるため、便宜上、知財管理システム１０として説明する。
図６は、知財管理システム１０と、この知財管理システム１０に接続される他の端末等の接続関係を示した図である。知財管理システム１０は、大別して、ライセンス管理ブロック１１００、情報検索ブロック１２００、情報出力ブロック１３００およびコミュニケーションブロック１４００の機能ブロックを有する。知財管理システム１０には、第１種ライセンシの構成メンバーとなる知財本部に備えられる端末１０２および各研究室に備えられる端末１０３，１０ｎが、構内ネットワーク１０１を介して接続されており、これにより、イントラネットが構築されている。
【００３０】
知財管理システム１０には、また、インターネットＩＮＴを介して、第２種ライセンシが備える各種コンピュータシステムないし端末、例えばＢ大学の第２知財管理システムＳＬｓ１として動作するコンピュータシステム２１、上述したＦ企業のユーザシステムＳＬｓ４として動作する端末２２、２３が接続される。コンピュータシステム２１には、学内の研究室等に備えられる複数の端末２１２，２１ｍを結ぶイントラネット２１１が接続されている。
【００３１】
図７は、知財管理システム１０が有するライセンス管理ブロック１１００の機能構成図である。ライセンス管理ブロック１１００は、固有情報管理部１１０１を有する。
固有情報管理部１１０１は、後述するデータ入力装置より入力された第１種ライセンシおよび第２ライセンシに関わる固有情報を管理する。
第１種ライセンシに関わる第１固有情報は、例えば、Ａ大学の名称、包括契約に含まれる構成メンバー（知財本部、各研究室）の名称、電子メールのアドレスを含む各々の連絡先情報、Ａ大学の構成メンバーに設定されたパスワードを含む第１権限情報、各メンバーがライセンサより認められたシステム利用の範囲およびシステムを利用する上で必要となるデータを含む第１ライセンス条件等である。
第２種ライセンシに関わる第２固有情報は、例えば、Ｂ大学，Ｃ大学，Ｄ大学、企業等の名称、連絡先情報、各大学の構成メンバーあるいは企業等に設定されたパスワードを含む第２権限情報、第１ライセンス条件から派生した、つまり、複写ないし部分的に修正した第２ライセンス条件等である。
固有情報管理部１１０１は、第１固有情報を第１種ライセンシＤＢ１１０５に蓄積し、第２固有情報を第２種ライセンシＤＢ１１０７に蓄積する。
【００３２】
ライセンス管理ブロック１１００は、また、権限ＩＤ管理部１１０３を有する。この権限ＩＤ管理部１１０３は、第１種ライセンシＤＢ１１０５および第２種ライセンシＤＢ１１０７に蓄積されている各固有情報のうち、権限ＩＤに関する情報を抜き出し、どの第２種ライセンシがどの第１種ライセンシからサブライセンスを付与されたかを、権限ＩＤの関連付けにより表し、その結果を権限ＤＢ１１０９に蓄積する。
【００３３】
図８は、第１種ライセンシＤＢ１１０５、第２種ライセンシＤＢ１１０７および権限ＩＤＤＢ１１０９の内容例を示す。図８上段は、第１種ライセンシＤＢ１１０５に蓄積される、第１種ライセンシ用の第１固有情報フィールド１１５１である。
第１固有情報フィールド１１５１には、第１種ライセンシの構成メンバー（本例では、Ａ大学の知財本部の担当者および研究室）毎に、第１種ライセンシであるＡ大学に所属することを表すライセンスＩＤ１０５１、契約による操作者を識別するためのＩＤであってログインパスワードを兼ねる権限＿ＩＤ１０５２、システム利用が可能な地域の範囲を表す地域範囲１０５３、マイページを作成するためのレイアウトデータファイルのアドレス１０５４、検索条件等を記録したメモリ領域のアドレス１０５５、メールアドレス１０５６、オプション１０５７が設けられる。オプション１０５７は、例えば、サブライセンスを付与する権限を有する者かどうかとか、デフォルトのマイページを独自にデザインする権限を有する者かどうか等である。
【００３４】
図８の中段は、第２種ライセンシＤＢ１１０７に蓄積される、ある第２種ライセンシ用の第２固有情報フィールド１１７１である。この第２固有情報フィールド１１７１の項目は、第１固有情報フィールド１１５１と同様である。
【００３５】
第１固有情報フィールド１１５１および第２固有情報フィールド１１７１において、ライセンシＩＤおよび権限＿ＩＤの組、あるいはライセンシＩＤと権限＿ＩＤのいずれか一方は、それぞれ、当該第１固有情報フィールド１１５１に記録される構成メンバーに設定される利用権限となる。この利用権限のうち、第２種ライセンシに設定される利用権限は、第１種ライセンシに設定される利用権限と関連付けられる。
例えば、第１種ライセンシに設定される利用権限の下位層の利用権限として管理される。これにより、ライセンサが、第１種ライセンシと第２種ライセンシとの関係を、任意の時点で把握できるようになる。
【００３６】
ライセンサから第１種ライセンシに許諾されたライセンス条件、および第１種ライセンシから第２種ライセンシに許諾されたライセンス条件は、図示しない領域に記録されている契約期限情報、地域範囲１０５３に記録された情報およびアドレス１０５５により特定される領域に記録されている検索条件等により特定される。検索条件等は、例えば、提供可能な情報の範囲、種類、使用できる検索条件の組み合わせパターン、検索条件の組み合わせ規則、検索式の生成規則等である。
このライセンス条件のうち、第１種ライセンシに設定されるものを第１ライセンス条件、第２種ライセンシに設定されるものを第２ライセンス条件と呼ぶ。第２ライセンス条件は、サブライセンスという関係上、第１ライセンス条件の一部又は全部を引き継いだものとなる。このように、ライセンス条件を引き継ぐことを「継承」と呼ぶ。
【００３７】
なお、図示を省略しているが、第１種ライセンシＤＢ１１０５および第２種ライセンシＤＢ１１０７に蓄積されている個々のライセンスＩＤ１０５１は、例えば各ライセンシの機関名（例えばＡ大学）等の詳細情報記録領域のアドレスとリンクしており、また、権限＿ＩＤ１０５２は、構成メンバーの氏名、所属（研究室名等）、専門分野等の詳細情報記録領域のアドレスとリンクしており、これらのＩＤをキーとして、それぞれ詳細情報記録領域からの情報の読み出しが可能になっている。
【００３８】
図８下段は、権限ＤＢ１１０９に蓄積される、ある第２種ライセンシ用の権限情報フィールド１１９１である。この権限情報フィールド１１９１には、その第２種ライセンシの権限＿ＩＤ１０９１と、許諾元の第１種ライセンシのライセンスＩＤ１０９２と、継承元である第１種ライセンシの権限ＩＤ１０９３が設けられる。
【００３９】
ライセンス管理ブロック１１００は、さらに、マイページ生成部１１１１および認証処理部１１１３を有する。マイページ生成部１１１１は、第１種ライセンシ用および第２種ライセンシ用のマイページを生成するものである。マイページは、図９に示されるように、第１種ライセンシ用のマイページテンプレート２０１１をもとに、第２種ライセンシ用のマイページテンプレート２１１１，２１３１を生成し、さらに、第１種ライセンシの構成メンバー、第２種ライセンシの構成メンバーのレイアウトデータファイル１０５４を修正して、各自に固有のもの（２０１３，２０１５，２０１７，２１１３，２１１５，２１３３，２１３５）を生成する。
【００４０】
認証処理部１１１３は、アクセスしてきた端末を操作する者が正当な権限を有するかどうかを、権限ＤＢ１１０９に蓄積されている各種権限を参照して認証する。
【００４１】
マイページ生成部１１１１で生成されたマイページは、情報出力ブロック１３００に出力される。他方、認証処理部１１１３による認証結果は、情報検索ブロック１１１３に出力される。
【００４２】
情報検索ブロック１２００は、図１０に示されるように、検索式を作成して検索式ＤＢ１２１１に格納するための検索条件ブロック１２１０を有する。情報検索ブロック１２００は、また、検索式ＤＢ１２１１に格納された検索式および認証処理部１１１３により認証された者の識別情報に基づいて、知財情報のうち特許情報を提供する特許情報サイトまたは図示しない内部の特許情報ＤＢに対して、例えばテーマ別の情報検索を行い、その結果を検索結果ＤＢ１２１３に蓄積する検索エンジン１２１２を有する。また、検索結果を編集して特許情報毎の抄録を作成して抄録ＤＢ１２１５に蓄積するとともに、テーマ別のヒット件数等の情報を生成する編集処理部１２１４を有する。さらに、検索によりヒットした件数等の情報を含む連絡情報を作成して連絡情報ＤＢ１２１７に蓄積する連絡情報作成部１２１６を有する。
【００４３】
検索条件ブロック１２１０は、図１１に示すように、コミュニケーションブロック１４００を通じて取得した提供対象者のＨＰ等からテキスト情報を抽出するテキスト情報抽出部２２１０と、抽出したテキスト情報を分類規則２２１５に従って、提供対象者の基本情報、アピール情報、関連情報に分類し、基本情報については基本情報ＤＢ２２２１、アピール情報についてはアピール情報ＤＢ２２２３、関連情報については関連情報ＤＢ２２２５に蓄積する情報分類部２２１３とを有する。
【００４４】
基本情報は、技術情報とは直接には関連しない、提供対象者の組織に特有の情報であり、アピール情報は、その組織が対外的に主張している情報であり、関連情報は、その組織が関連する技術に関する情報である。
分類規則は、テキスト情報に含まれる項目が上記の基本情報、アピール情報、関連情報のどれに該当するかを識別するための規則である。例えば項目が技術用語、製品名、用途等の名詞である場合は関連情報、予め用意した主張文の形態に近似する場合はアピール情報、その他の場合は基本情報に分類する等である。基本情報は基本情報ＤＢ２２２１に、アピール情報はアピール情報ＤＢ２２２３に、関連情報は関連情報ＤＢ２２２５に、それぞれ提供対象者毎に、常用語として蓄積される。
【００４５】
検索条件ブロック１２１０は、また、解析・照合部２２２７を有する。この解析・照合部２２２７は、予め特許情報毎に特許キーワード情報ＤＢ２２２９に蓄積されている検索キーワードと、基本情報、アピール情報、関連情報との照合度合いを、用語対応テーブル２２３０を参照して解析して解析キーワードを生成し、これを解析キーワードＤＢ２２３１に蓄積するものである。
【００４６】
検索条件ブロック１２１０は、さらに、検索式作成部２２３３を有する。この検索式作成部２２３３は、解析キーワードＤＢ２２３１に蓄積されている解析キーワードをもとに、定期配信用の検索式を作成し、これを提供対象者の識別情報と共に検索式ＤＢ１２１１（図１０）に蓄積する。
【００４７】
情報出力ブロック１３００は、図１２に示されるように、情報抽出部１３１１と、レイアウト編集部１３１３とを有する。情報抽出部１３１１は、検索結果ＤＢ１２１３および抄録ＤＢ１２１５から、提供対象者のための検索結果を抽出するものであり、レイアウト編集部１３１３は、抽出した検索結果を第１種ライセンシおよび第２種ライセンシの各構成メンバー用にそれぞれ個性化された各ブラウザ画面に掲載するための処理を行うものである。レイアウト編集部１３１３の処理結果は、コミュニケションブロック１４００に伝達される。
【００４８】
コミュニケーションブロック１４００は、主として上述した機会提供の場を形成するとともに、知財情報の検索を、より的確に行うためのツールを提供するために存在する。
このコミュニケーションブロック１４００の構成は、図１３に示すとおりである。すなわち、コミュニケーションブロック１４００は、図６に示した構内ネットワーク１０１およびインターネットＩＮＴ、並びに、ＰｔｏＰ（ピア・ツー・ピア）との接続を可能にするためのＩ／Ｏ制御部１４０１を有する。
【００４９】
このＩ／Ｏ制御部１４０１は、通信制御情報管理ＤＢ１４０３に記録されている通信相手先毎のプロトコル等の通信設定情報に基づいて、通信相手先との間で双方向通信を行う。Ｉ／Ｏ制御部１４０１には、電子カメラ、マイクおよびこれらのインタフェースを有する会話装置１４０５、ディスプレイおよびマイクを含んで成るマルチメディア出力装置１４０７、キーボードおよびマウスを含んで成るデータ入力装置１４０９が接続される。
会話装置１４０５とマルチメディア出力装置１４０７は、例えばインターネットテレビ会議を可能にするための装置であり、データ入力装置１４０９は、上述した第１種ライセンシおよび第２種ライセンシについての固有情報を入力するための装置である。
【００５０】
コミュニケーションブロック１４００は、また、コミュニケーション管理部１４１１と、データベース管理システム（ＤＢＭＳ）１４１３とを有する。コミュニケーション管理部１４１１は、例えば電子掲示場を形成するものである。ＤＢＭＳ１４１３は、企業アピール情報ＤＢ１４１５、スペシャリストアピール情報ＤＢ１４１７、その他のアピール情報ＤＢ１４１９、地域情報ＤＢ１４２１、ニーズ情報ＤＢ１４２３、シーズ情報ＤＢ１４２５へのデータ蓄積およびその読み出しを行う。
【００５１】
［知財管理システムの動作概要］
次に、上記の知財管理システム１０を、Ａ大学に備えられる第１知財管理システムＭＬｓとして動作させるときの手順の一例を説明する。
【００５２】
｛第１種ライセンシ登録処理｝
図１４は、第１種ライセンシ登録処理の手順図である。
第１知財管理システムＭＬｓは、ライセンサより付与されたライセンシＩＤ（ｍｌ＿ＩＤ）、第１ライセンス条件、マイページ表示用のビュアーソフト等をロードし（ＳＴ１１）、システムの利用者、すなわちＡ大学の知財本部担当者、研究室担当者等の個人情報の入力を受け付ける（ＳＴ１２）。個々の利用者について、権限＿ＩＤを採番し、この権限＿ＩＤを権限内容と共に、第１種ライセンシＤＢ１１０５に登録する（ＳＴ１３）。これをＡ大学のすべての利用者について繰り返す（ＳＴ１４：Ｎｏ）。
【００５３】
｛第２種ライセンシ登録処理｝
図１５は、第２種ライセンシ登録処理の手順図である。
第１知財管理システムＭＬｓは、第１種ラインセンシのうち、権限を有する利用者より付与されたライセンシＩＤ（ｓｌ＿ＩＤ）、第２ライセンス条件、マイページ表示用のビュアーソフト等をロードし（ＳＴ２１）、システムの利用者、例えばＢ大学の知財本部担当者、研究室担当者等の個人情報の入力を受け付ける（ＳＴ２２）。個々の利用者について、権限＿ＩＤを採番し、この権限＿ＩＤを権限内容と共に、第２種ライセンシＤＢ１１０７に登録する（ＳＴ２３）。また、利用者の権限＿ＩＤを、許諾元の第１種ライセンシのライセンシＩＤ（ｍｌ＿ＩＤ）および第１ライセンス条件の継承元となる第１種ライセンシの権限＿ＩＤとともに、権限ＩＤＤＢ１１０９に登録する（ＳＴ２４）。
これをすべての利用者について繰り返す（ＳＴ２５：Ｎｏ）。
【００５４】
｛検索式作成処理｝
図１６は、検索式作成処理の手順図である。この処理は、通常、テーマ別特許情報の定期配信に用いる検索式を決めるときに実行される。但し、不定期配信においての検索式を作成するに際にも、同様にして、実行が可能である。
第１知財管理システムＭＬｓは、提供対象者、例えば、Ａ地域に存在する企業であって、ユーザシステムＵＳ４を備える者のホームページ（ＨＰ）から、テキスト情報を抽出する（ＳＴ３１）。常用語を適切に把握するため、その提供対象者からなるべく多くの数および広い範囲のテキスト情報を抽出する。ホームページへのアクセスに代えて、その提供対象者から受け取った電子メールあるいは電子化されたＰＲ情報からテキスト情報を抽出するようにしてもよい。
【００５５】
第１知財管理システムＭＬｓは、このようにして抽出したテキスト情報を、分類規則に従い、基本情報、アピール情報、関連情報に分類し、それぞれ、該当するＤＢに蓄積する（ＳＴ３２）。分類規則等については、上述したとおりである。その後、例えば公知の形態素解析により、分類した各テキスト情報を複数の語句に分解する。予め特許用語と一般的な用語ないし類義語との対応関係を示した用語対応テーブル２２３０を参照し、抽出した語句と、予め蓄積されている特許キーワード情報に用いられている語句とを照合する（ＳＴ３３）。
そして、語句同士の照合度合いの高い特許キーワード情報を解析キーワードとして、解析キーワードＤＢ２２３１に蓄積する（ＳＴ３４）。その後、提供対象者用の検索条件ファイル（検索条件add）から読み出した検索条件、例えば、ある語句の場合に採り得る論理条件と、解析キーワードＤＢ２２３１に蓄積されている解析キーワードとをもとに、その提供対象者用の検索式を作成し、これを当該提供対象者の権限＿ＩＤとリンクさせて検索式ＤＢ１２１１に蓄積する（ＳＴ３１）。
【００５６】
｛検索および定期配信処理｝
このようにして作成した検索式を用いて、第１知財管理システムＭＬｓにおいて特許情報の検索を行い、検索結果を提供対象者に配信するときの手順を説明する。図１７は、第１知財管理システムＭＬｓによる検索および定期配信処理の手順図である。
第１知財管理システムＭＬｓは、例えば内部タイマで現在の日時を計測しており、現在の日時が、予めサブライセンス契約により定めた定期的な配信予定日に達したかどうかを監視する機能を有する。この機能により配信予定日に達したことを検知すると（ＳＴ４１：Yes）、第１知財管理システムＭＬｓは、検索式ＤＢ１２１１から提供対象者用の検索式を読み出し、検索エンジン１２１２で、特許情報サイト（あるいは特許情報ＤＢ）から、その検索式に適合する特許情報を検索する（ＳＴ４２）。ここでは、検索により得られた特許情報が、特許公報の全文（図面を含む）であるものとする。
【００５７】
検索エンジン１２１２は、検索結果である特許公報の全文をその公報の複数の項目を特許キーワードの一つとして検索結果ＤＢ１２１３に蓄積する（ＳＴ４３）。また、編集処理部１２１４で各特許公報を編集し、それぞれの抄録部分、例えば特許公報の「要約書」の部分のデータを抽出する。そして、抽出した抄録を、検索結果ＤＢ１２１３に蓄積されている特許公報とリンクさせて抄録ＤＢ１２１５に蓄積する（ＳＴ４４）。リンクは、例えば公開番号、特許番号等を双方同一にすることにより可能になる。
【００５８】
その後、抄録ＤＢ１２１５から、提供対象者に関わるすべての抄録を抽出して公報に付された番号順にソートし、これらを提供対象者用のマイページに掲載する（ＳＴ４５）。また、提供対象者用の検索結果をマイページに掲載した旨を表す連絡情報を作成し、この連絡情報を電子メール等により、その提供対象者の端末に自動配信する（ＳＴ４６）。電子メール等を見た提供対象者が、自己の端末を通じて第１知財管理システムＭＬＳにアクセスしてマイページに掲載されている抄録を閲覧し、さらに、その抄録の「詳細」を選択した場合は（ＳＴ４７：Yes）、検索結果ＤＢ１２１３から該当する特許情報の全文（図面を含む）を抽出し、これをマイページに掲載する（ＳＴ４８）。これにより、提供対象者は、自分が欲する特許情報が配信されているかどうかを、まず抄録で確認し、欲する特許情報が配信されている場合は、「詳細」を選択して確認することで、特許情報に、効率的にアクセスすることができる。
【００５９】
ここで、提供対象者用のマイページについて、詳しく説明する。
第１知財管理システムＭＬｓは、学内の研究室に備えられる端末に、当該研究室について固有となるレイアウトのマイページを作成し、このマイページに、特許情報の検索結果を掲載する。また、連携して知財創出の支援を行うためにサブライセンスを付与した他の大学の第２知財管理システムＳＬｓ１、ＳＬｓ２、ＳＬｓ３に、あたかも、その第２知財管理システムＳＬｓ１、ＳＬｓ２、ＳＬｓ３において情報検索を行ったように見せるためのマイページを作成する。他方、連携する必要のない第２種ラインセンシの端末あるいはユーザシステムに対しては、Ａ大学が情報発信元あるいはサービス提供元であることをアピールするためのＡ大学用のマイページを作成する。
【００６０】
以上のようなマイページの例を図１９〜図２４に示す。図１９は、第１知財管理システムＭＬｓが、特許情報の検索結果を、イントラネットを通じて接続されたＡ大学用の研究室の端末に配信するときのマイページの説明図である。
このマイページ３００１において、情報発信元を表す領域３０１１には、例えば、第１種ライセンシＤＢ１１０５に記録されている権限＿ＩＤより特定される「Ａ大学知的財産本部」の文字が表示され、また、情報提供先を表す次段の領域には、権限＿ＩＤより特定される「◇◇研究室」の名称が表示される。
テーマ選択領域３０１３は、これをクリックすることにより、テーマ毎の検索結果を表示させることができる。検索期間表示領域３０１５には、「当日」、「１週間前」、「１ヶ月前」のように表示される。ヒット件数表示領域３０１７には、当該テーマにおけるヒット件数が表示され、抄録表示領域３０１９には、抄録ＤＢ１２１５に蓄積されている抄録が表示される。抄録表示領域３０１９の詳細３０２０をクリックすることにより、検索結果ＤＢ１２１３に蓄積されている特許情報の全文がＰＤＦ等で表示される。
【００６１】
図２０は、第１知財管理システムＭＬｓが、Ｂ大学知財本部の第２知財管理システムＳＬｓ１からの依頼を受けて、特許情報の検索結果をその第２知財管理システムＳＬｓ１に配信するときのマイページの説明図である。このマイページ４００１において、情報発信元を表す領域４０１１には、例えば第２種ライセンシＤＢ１１０７に記録されている権限＿ＩＤより特定される「Ｂ大学知的財産本部」の文字が表示され、また、情報提供先を表す次段の領域には、権限＿ＩＤより特定されるＢ大学の「◇◇研究室」の名称が表示される。テーマ選択領域４０１３、検索期間表示領域４０１５、ヒット件数表示領域４０１７、抄録表示領域４０１９、詳細４０２０は、それぞれ、上述したテーマ選択領域３０１３、検索期間表示領域３０１５、ヒット件数表示領域３０１７、抄録表示領域３０１９、詳細３０２０と同じものである。
【００６２】
第１知財管理システムＭＬｓは、ユーザシステムＵＳ４に対しては、図２１に例示するマイページ５００１および図２２に例示するマイページ６００１を表示させる。
図２１のマイページ５００１は、Ａ地域のユーザシステムＵＳ４に閲覧させるためのマイページであり、図２２のマイページは、第２知財管理システムＳＬｓ１を通じてＢ地域のユーザシステムＵＳ１に閲覧させるためのマイページである。図２１に示すマイページは、第２種ライセンシであってもＡ大学の学外に拠点を有するＦ企業である場合にも用いられる。図２１および図２２において、テーマ選択領域５０１３および６０１３、検索期間表示領域５０１５および６０１５、ヒット件数表示領域５０１７および６０１７、抄録表示領域５０１９および６０１９、詳細５０２０および６０２０は、それぞれ、図１９に示したテーマ選択領域３０１３、検索期間表示領域３０１５、ヒット件数表示領域３０１７、抄録表示領域３０１９、詳細３０２０と同じものである。
【００６３】
ユーザシステムＵＳ４等に対して、検索メニューを選択させることもできる。図２３は、このときのマイページである。このマイページ７００１において、検索メニューの提供元を表す領域７０１１には、第１種ライセンシＤＢ１１０７に記録されている権限＿ＩＤより特定される「Ａ大学知的財産本部」の文字および「知財情報検索メニュー」が表示される。また、選択可能な検索メニューとして、番号検索７０１３、分野別検索７０１５、テーマ別検索７０１７、分類検索７０１９、キーワード検索７０２１、および対話検索７０２３が設けられる。
【００６４】
対話検索７０２３が選択されたときは、図２４のようなマイページに遷移する。図２４に例示するマイページ８００１のうち、検索メニュー選択サービスの提供元を表す領域８０１１には、第１種ライセンシＤＢ１１０７に記録されている権限＿ＩＤより特定される「Ａ大学知的財産本部」の文字および「対話検索メニュー」が表示される。また、映像領域８０１３には、第１知財管理システムＭＬｓに備えられる会話装置１４０５が映し出した、検索のスペシャリストの映像画面が表示される。さらに、映像領域８０１３の周囲に、技術分野特定領域が表示される。図示の例では、「電気・電子」分野８０１５、「機械等」分野８０１７、「化学」分野８０１９、「その他」分野８０２１が形成されている。ユーザシステムＵＳ４等を操作する者は、この映像画面に映し出された映像と会話内容とに基づいて、まず、上記領域８０１５〜８０２１のいずれかを選択することにより技術分野特定を特定し、さらに、日常語と求める技術分野とをスペシャリストに伝達することで、適切な検索式を作成していく。
【００６５】
｛検索および不定期配信処理｝
なお、特許情報の検索および配信は、例えば検索式の入力を契機に、随時、つまり不定期に行うこともできる。
図１８は、検索および不定期配信処理の手順図である。
第１知財管理システムＭＬｓは、例えば検索式が入力されると（ＳＴ５１：Yes）、検索エンジン１２１２が、特許情報サイト（あるいは特許情報ＤＢ）から、入力された検索式に適合する特許情報を検索する（ＳＴ５２）。上述したように検索結果である特許公報の全文を検索結果ＤＢ１２１３に蓄積する（ＳＴ５３）。また、編集処理部１２１４で特許公報を編集して抄録部分を抽出する。そして、抽出した抄録を抄録ＤＢ１２１５に蓄積する（ＳＴ５４）。その後、提供対象者に関わるすべての抄録を抽出して番号順にソートし、これらを提供対象者用のマイページに掲載する（ＳＴ５５）。
【００６６】
通常、この場合のマイページは、図２１に示すようなＡ大学知財本部が情報発信元であることを示すものとなるが、第２知財管理システムＳＬｓ１からの情報検索依頼である場合のマイページは、図２２に示したものとなる。
提供対象者が、自己の端末を通じて第１知財管理システムＭＬｓまたは第２知財管理システムＳＬｓ１にアクセスしてマイページに掲載されている抄録を閲覧し、さらに、その抄録の「詳細」を選択した場合は（ＳＴ５６：Yes）、検索結果ＤＢ１２１３から該当する特許情報の全文（図面を含む）を抽出し、これをマイページに掲載する（ＳＴ５７）。これにより、提供対象者は、自分が欲する特許情報が配信されているかどうかを、まず抄録で確認し、欲する特許情報が配信されている場合は、「詳細」を選択して確認することで、特許情報に、効率的にアクセスすることができる。
【００６７】
以上の説明から明らかなように、本発明の連携型知財管理システム１によれば、システム利用のサブライセンス契約およびその内容をライセンサの手を煩わせることなく、第１知財管理システムＭＬｓにおいて管理することができる。
また、ライセンシ間の人的、経済的、地域的なつながりを利用して、第１種ライセンシから第２種ライセンシにサブライセンスを付与できるようにし、他方、サブライセンスが付与された第２種ライセンシでは、大がかりなコンピュータシステムを導入しなくともシステム利用が可能になるので、ライセンス需要を容易に拡大させることができる。
【００６８】
特に、第１種ライセンシを大学とし、その大学が、他大学にサブライセンスを付与して第２種ライセンシを増やし、各ライセンシに備えられる知財管理システムを連携して動作させることにより、それぞれ、学内の研究室のみならず、特許情報の検索手段を持たないが、知財創出の意識がある地元企業、企業グループ、起業家、個人事業者、家内事業者、学生に対して、適切な特許情報を絞り込んで配信することができる。これにより、例えば、各々の大学が存在する地元企業への貢献を図りつつ、大学間の知財本部の収益構造を強化することができる。
【００６９】
また、大学が、学内や地元企業に代わって検索式を生成し、あるいは検索式の作成を支援し、その検索式により絞り込まれた特許情報を自動的に配信するようにすることで、知財本部相当の組織を持たない企業等に対して、ピンポイントに特許情報を提供することができる。また、検索式は、それぞれ当該企業等で常用しているキーワードを含んだものとすることで、特許情報をより身近なものとし、その特許情報の理解を深め、自社技術開発、出願、事業の促進、ひいては新たな特許の創出に寄与することができる。
【図面の簡単な説明】
【００７０】
【図１】連携型知財管理システムの概念図。
【図２】連携型知財管理システムの全体構成図。
【図３】ユーザシステムへの情報配信に対する第１知財管理システムおよび第２知財管理システムの役割を示した図。
【図４】学内の各研究室の端末との間の情報の受け渡しの様子を示した図。
【図５】第１知財管理システムに入出力される情報ないし接続される機関の概要を示した図。
【図６】知財管理システムの全体構成と他の端末等との接続関係を示した図。
【図７】ライセンス管理ブロックの機能構成図。
【図８】第１種ライセンシＤＢ、第２種ライセンシＤＢおよび権限ＩＤＤＢの内容例を示した説明図。
【図９】第１種ライセンシ用のマイページと第２種ライセンシ用のマイページとの関係を示した説明図。
【図１０】情報検索ブロックの機能構成図。
【図１１】検索条件ブロックの機能構成図。
【図１２】情報出力ブロックの機能構成図。
【図１３】コミュニケーションブロックの機能構成図。
【図１４】第１種ライセンシ登録処理の手順図。
【図１５】第２種ライセンシ登録処理の手順図。
【図１６】検索式作成処理の手順図。
【図１７】検索および定期配信処理の手順図。
【図１８】検索および不定期配信処理の手順図
【図１９】第１種ライセンシであるＡ大学用の学内に配信する研究者毎のマイページの例を示した図。
【図２０】第２種ライセンシであるＢ大学用の学内に配信する研究者毎のマイページの例を示した図。
【図２１】Ａ大学が学外に配信するマイページの例を示した図。
【図２２】Ｂ大学が学外に配信するマイページの例を示した図。
【図２３】検索メニューの選択画面を示した図。
【図２４】対話式検索を行うときの画面例を示した図。
【符号の説明】
【００７１】
１・・・連携型知財管理システム、１０，２１・・・知財管理システム、ＭＬｓ・・・第１知財管理システム、ＳＬｓ１〜３・・・第２知財管理システム、１０２，１０３，１０ｎ，２２，２３，２１２，２１ｍ，ＳＬｓ４・・・端末、ＵＳ１〜ＵＳ４，ＵＳ１１・・・ユーザシステム、ＩＮＴ・・・インターネット、ＢＺＡ１〜ＢＺＡ５，ＢＺＢ１，ＢＺＢ２・・・ブラウザ（マイページ）、１１００・・・ライセンス管理ブロック、１２００・・・情報検索ブロック、１３００・・・情報出力ブロック、１４００・・・コミュニケーションブロック、１１０１・・・固有情報管理部、１１０３・・・権限ＩＤ管理部、１１０５・・・第１種ライセンシＤＢ、１１０７・・・第２種ライセンシＤＢ、１１０９・・・権限ＩＤＤＢ、１１１１・・・マイページ生成部、１１１３・・・認証処理部、１２１０・・・検索条件ブロック、１２１１・・・検索式ＤＢ、１２１２・・・検索エンジン、１２１３・・・検索結果ＤＢ、１２１４・・・編集処理部、１２１６・・・連絡情報作成部、１２１５・・・抄録ＤＢ、１２１７・・・連絡情報ＤＢ、２２１０・・・テキスト情報抽出部、２２１３・・・情報分類部、２２１５・・・分類規則ＤＢ、２２２１・・・基本情報ＤＢ、２２２３・・・アピール情報ＤＢ、２２２５・・・関連情報ＤＢ、２２２７・・・解析・照合部、２２２９・・・特許キーワード情報ＤＢ、２２３０・・・用語対応テーブル、２２３１・・・解析キーワードＤＢ、２２３３・・・検索式作成部、１３１１・・・情報抽出部、１３１３・・・レイアウト編集部、１４０１・・・Ｉ／Ｏ制御部、１４０３・・・通信制御情報管理ＤＢ、１４０５・・・会話装置、１４０７・・・マルチメディア出力装置、１４０９・・・データ入力装置、１４１１・・・コミュニケーション管理部、１４１３・・・ＤＢＭＳ、１４１５・・・企業アピール情報ＤＢ、１４１７・・・スペシャリストアピール情報ＤＢ、１４１９・・・その他のアピール情報ＤＢ、１４２１・・・地域情報ＤＢ、１４２３・・・ニーズ情報ＤＢ、１４２５・・・シーズ情報ＤＢ。
【図１】
2006155626.tif 000003
【図２】
2006155626.tif 000004
【図３】
2006155626.tif 000005
【図４】
2006155626.tif 000006
【図５】
2006155626.tif 000007
【図６】
2006155626.tif 000008
【図７】
2006155626.tif 000009
【図８】
2006155626.tif 000010
【図９】
2006155626.tif 000011
【図１０】
2006155626.tif 000012
【図１１】
2006155626.tif 000013
【図１２】
2006155626.tif 000014
【図１３】
2006155626.tif 000015
【図１４】
2006155626.tif 000016
【図１５】
2006155626.tif 000017
【図１６】
2006155626.tif 000018
【図１７】
2006155626.tif 000019
【図１８】
2006155626.tif 000020
【図１９】
2006155626.tif 000021
【図２０】
2006155626.tif 000022
【図２１】
2006155626.tif 000023
【図２２】
2006155626.tif 000024
【図２３】
2006155626.tif 000025
【図２４】
2006155626.tif 000026